(57)【特許請求の範囲】
【請求項１】
折板で葺いた折板屋根の頂部にソーラーパネルを取付金具と取付架台及びボルトを介して固定するようにしたソーラーパネルの取付構造において、
前記折板屋根の頂部に載置されてボルトにて固定される載置片部と、該載置片部の一端側から垂直に起立する起立片部と、該起立片部の上端において該載置片部に対して傾斜して形成され、前記取付架台の一端側を載置してボルトにて固定する傾斜片部とで正面コ字形に一体形成された第１の取付金具と、
前記折板屋根の頂部に載置されてボルトにて固定される断面コ字状の載置片部と、該載置片部の一端側から垂直に起立する断面コ字状の起立片部とで一体形成された第２の取付金具と、
前記第２の取付金具の載置片部に載置されてボルトにて固定される支柱と、
前記支柱の上端部にボルトにて固定される断面コ字状の取付片部と、前記第１の取付金具の傾斜片部と同じ角度傾斜して形成され、前記取付架台の他端側を載置してボルトにて固定する断面コ字状の傾斜片部とで一体形成された第３の取付金具と、
前記ソーラーパネルを締結部材を介して固定すると共に、前記第１の取付金具の傾斜片部と前記第３の取付金具の傾斜片部に両端側が各ボルトにて固定される前記取付架台と、を備え、
前記取付架台を、前記ソーラーパネルの下面を支持するように少なくとも一対配設したことを特徴とするソーラーパネルの取付構造。
【請求項２】
請求項１記載のソーラーパネルの取付構造であって、
前記第１の取付金具の傾斜片部及び前記第３の取付金具の傾斜片部と傾斜角度が異なる傾斜片部を有した第１の取付金具と第３の取付金具を複数用意すると共に、前記支柱と高さが異なる支柱を複数用意したことを特徴とするソーラーパネルの取付構造。
【請求項３】
請求項１記載のソーラーパネルの取付構造であって、
前記第１の取付金具の載置片部及び傾斜片部と、前記第２の取付金具の載置片部と起立片部との角部、及び、前記第３の取付金具の取付片部と傾斜片部との角部に、補強用の突出部をそれぞれ形成し、かつ、前記第２の取付金具の載置片部と起立片部、及び、前記第３の取付金具の取付片部と傾斜片部を補強用の加締め部でそれぞれ固定したことを特徴とするソーラーパネルの取付構造。
【請求項４】
請求項１記載のソーラーパネルの取付構造であって、
前記第１の取付金具の載置片部及び前記第２の取付金具の載置片部に、前記折板屋根の頂部に形成された溝部に嵌め込まれて該第１の取付金具及び第２の取付金具を位置決めする突出部をそれぞれ形成したことを特徴とするソーラーパネルの取付構造。
【発明の詳細な説明】
【技術分野】
【０００１】
本発明は、既設の折板屋根の頂部に太陽光発電モジュールや太陽熱温水器等のソーラーパネルを取付金具等を介して固定するようにしたソーラーパネルの取付構造に関する。
【背景技術】
【０００２】
この種のソーラーパネルの取付構造として、例えば、特許文献１に記載されたものが知られている。
【０００３】
この特許文献１に記載のものは、折板で葺いた重ね式折板屋根を有するカーポートの該折板屋根の頂部にソーラーパネルとしての太陽光発電モジュールを固定するものであり、折板屋根の折板の断面形状に合わせて略台形波状に折り曲げられたタイトフレーム（固定金具）の頂部に固定ボルトを上向きに固着しておき、この固定ボルトを折板屋根の頂部に形成した小孔に挿通させると共に、架台としての縦材を折板屋根の折板と共締めして、この縦材に支持枠とボルト及びナットを介して太陽光発電モジュールを締結固定していた。
【先行技術文献】
【特許文献】
【０００４】
【特許文献１】特開２００２−３０７７４号公報（図２〜図４）
【発明の概要】
【発明が解決しようとする課題】
【０００５】
前記従来のソーラーパネルの取付構造では、既設のカーポートの折板屋根の頂部から外側に突出したタイトフレームの上向きの固定ボルトに、架台である縦材をナットを介して固定し、この縦材の上に支持枠とボルト及びナットを介して太陽光発電モジュールを固定しているが、既設の折板屋根が平坦な場合には、太陽光発電モジュールを傾斜させて設置することができなかった。
【０００６】
そこで、本発明は、前記した課題を解決すべくなされたものであり、既設の平坦な折板屋根の頂部にソーラーパネルを簡単かつ確実に効率良く所定角度傾斜させて設置することができるソーラーパネルの取付構造を提供することを目的とする。
【課題を解決するための手段】
【０００７】
請求項１の発明は、折板で葺いた折板屋根の頂部にソーラーパネルを取付金具と取付架台及びボルトを介して固定するようにしたソーラーパネルの取付構造において、前記折板屋根の頂部に載置されてボルトにて固定される載置片部と、該載置片部の一端側から垂直に起立する起立片部と、該起立片部の上端において該載置片部に対して傾斜して形成され、前記取付架台の一端側を載置してボルトにて固定する傾斜片部とで正面コ字形に一体形成された第１の取付金具と、前記折板屋根の頂部に載置されてボルトにて固定される断面コ字状の載置片部と、該載置片部の一端側から垂直に起立する断面コ字状の起立片部とで一体形成された第２の取付金具と、前記第２の取付金具の載置片部に載置されてボルトにて固定される支柱と、前記支柱の上端部にボルトにて固定される断面コ字状の取付片部と、前記第１の取付金具の傾斜片部と同じ角度傾斜して形成され、前記取付架台の他端側を載置してボルトにて固定する断面コ字状の傾斜片部とで一体形成された第３の取付金具と、前記ソーラーパネルを締結部材を介して固定すると共に、前記第１の取付金具の傾斜片部と前記第３の取付金具の傾斜片部に両端側が各ボルトにて固定される前記取付架台と、を備え、前記取付架台を、前記ソーラーパネルの下面を支持するように少なくとも一対配設したことを特徴とする。
【０００８】
請求項２の発明は、請求項１記載のソーラーパネルの取付構造であって、前記第１の取付金具の傾斜片部及び前記第３の取付金具の傾斜片部と傾斜角度が異なる傾斜片部を有した第１の取付金具と第３の取付金具を複数用意すると共に、前記支柱と高さが異なる支柱を複数用意したことを特徴とする。
【０００９】
請求項３の発明は、請求項１記載のソーラーパネルの取付構造であって、前記第１の取付金具の載置片部及び傾斜片部と、前記第２の取付金具の載置片部と起立片部との角部、及び、前記第３の取付金具の取付片部と傾斜片部との角部に、補強用の突出部をそれぞれ形成し、かつ、前記第２の取付金具の載置片部と起立片部、及び、前記第３の取付金具の取付片部と傾斜片部を補強用の加締め部でそれぞれ固定したことを特徴とする。
【００１０】
請求項４の発明は、請求項１記載のソーラーパネルの取付構造であって、前記第１の取付金具の載置片部及び前記第２の取付金具の載置片部に、前記折板屋根の頂部に形成された溝部に嵌め込まれて該第１の取付金具及び第２の取付金具を位置決めする突出部をそれぞれ形成したことを特徴とする。
【発明の効果】
【００１１】
以上説明したように、請求項１の発明によれば、折板屋根の頂部に載置されてボルトにて固定される載置片部と、該載置片部の一端側から垂直に起立する起立片部と、該起立片部の上端において該載置片部に対して傾斜して形成され、取付架台の一端側を載置してボルトにて固定する傾斜片部とで正面コ字形に一体形成された第１の取付金具と、折板屋根の頂部に載置されてボルトにて固定される断面コ字状の載置片部と、該載置片部の一端側から垂直に起立する断面コ字状の起立片部とで一体形成された第２の取付金具と、第２の取付金具の載置片部に載置されてボルトにて固定される支柱と、支柱の上端部にボルトにて固定される断面コ字状の取付片部と、第１の取付金具の傾斜片部と同じ角度傾斜して形成され、取付架台の他端側を載置してボルトにて固定する断面コ字状の傾斜片部とで一体形成された第３の取付金具と、ソーラーパネルを締結部材を介して固定すると共に、第１の取付金具の傾斜片部と第３の取付金具の傾斜片部に両端側が各ボルトにて固定される取付架台と、を備え、取付架台を、ソーラーパネルの下面を支持するように少なくとも一対配設したことにより、既設の平坦な折板屋根の頂部の上から簡単な構造で高剛性の第１〜３の取付金具と支柱を介して所定角度傾斜した少なくとも一対の取付架台を簡単かつ強固に取り付けることができる。これにより、短時間でかつ効率良くソーラーパネルを所定角度傾斜させて設置することができる。
【００１２】
請求項２の発明によれば、第１の取付金具の傾斜片部及び第３の取付金具の傾斜片部と傾斜角度が異なる傾斜片部を有した第１の取付金具と第３の取付金具を複数用意すると共に、支柱と高さが異なる支柱を複数用意したことにより、ソーラーパネルの傾斜角度を可変させることができ、ソーラーパネルを所望する任意の角度に傾斜させて簡単かつ確実に設置することができる。
【００１３】
請求項３の発明によれば、第１の取付金具の載置片部及び傾斜片部と、第２の取付金具の載置片部と起立片部との角部、及び、第３の取付金具の取付片部と傾斜片部との角部に、補強用の突出部をそれぞれ形成したことにより、この補強用の突出部により各取付金具の強度を増すことができ、ソーラーパネルを安定した一定の傾斜状態で経時的に維持することができる。さらに、第２の取付金具の載置片部と起立片部、及び、第３の取付金具の取付片部と傾斜片部を補強用の加締め部でそれぞれ固定したことにより、第２の取付金具の起立片部の垂直起立状態、及び、第３の取付金具の傾斜片部の所定角度の傾斜状態を安定した状態に経時的に維持することができると共に、各取付金具を起立片部と傾斜片部の真下に位置させて各取付金具にかかる荷重を常に真下で受け止めることができる。
【００１４】
請求項４の発明によれば、第１の取付金具の載置片部及び第２の取付金具の載置片部に、折板屋根の頂部に形成された溝部に嵌め込まれて該第１の取付金具及び第２の取付金具を位置決めする突出部をそれぞれ形成したことにより、折板屋根の頂部に第１の取付金具と第２の取付金具を位置ずれすることなく簡単かつ確実に取り付けることができる。
【図面の簡単な説明】
【００１５】
【図１】本発明の第１実施形態のソーラーパネルの取付構造を示す正面図である。
【図２】上記第１実施形態のソーラーパネルの取付構造の側面図である。
【図３】（ａ）は上記第１実施形態のソーラーパネルの取付構造に用いられる第１の取付金具の正面図、（ｂ）は同取付金具の側面図、（ｃ）は同取付金具の平面図である。
【図４】（ａ）は上記第１実施形態のソーラーパネルの取付構造に用いられる第２の取付金具の正面図、（ｂ）は同取付金具の側面図、（ｃ）は同取付金具の平面図である。
【図５】（ａ）は上記第１実施形態のソーラーパネルの取付構造に用いられる第３の取付金具の正面図、（ｂ）は同取付金具の側面図、（ｃ）は同取付金具の平面図である。
【図６】本発明の第２実施形態のソーラーパネルの取付構造を示す正面図である。
【図７】上記第２実施形態のソーラーパネルの取付構造の側面図である。
【図８】（ａ）は上記第２実施形態のソーラーパネルの取付構造に用いられる第１の取付金具の正面図、（ｂ）は同取付金具の側面図、（ｃ）は同取付金具の平面図である。
【図９】（ａ）は上記第２実施形態のソーラーパネルの取付構造に用いられる第３の取付金具の正面図、（ｂ）は同取付金具の側面図、（ｃ）は同取付金具の平面図である。
【図１０】本発明の第３実施形態のソーラーパネルの取付構造を示す正面図である。
【図１１】上記第３実施形態のソーラーパネルの取付構造の側面図である。
【図１２】（ａ）は上記第３実施形態のソーラーパネルの取付構造に用いられる第１の取付金具の正面図、（ｂ）は同取付金具の側面図、（ｃ）は同取付金具の平面図である。
【図１３】（ａ）は上記第３実施形態のソーラーパネルの取付構造に用いられる第２の取付金具の正面図、（ｂ）は同取付金具の側面図、（ｃ）は同取付金具の平面図である。
【図１４】本発明の第４実施形態のソーラーパネルの取付構造を示す正面図である。
【図１５】上記第４実施形態のソーラーパネルの取付構造の側面図である。
【図１６】（ａ）は上記第４実施形態のソーラーパネルの取付構造に用いられる第１の取付金具の正面図、（ｂ）は同取付金具の側面図、（ｃ）は同取付金具の平面図である。
【図１７】本発明の第５実施形態のソーラーパネルの取付構造を示す正面図である。
【図１８】本発明の第６実施形態のソーラーパネルの取付構造を示す側面図である。
【発明を実施するための形態】
【００１６】
以下、本発明の実施形態を図面に基づいて説明する。
【００１７】
図１は本発明の第１実施形態のソーラーパネルの取付構造を示す正面図、図２は同ソーラーパネルの取付構造の側面図、図３（ａ）は同ソーラーパネルの取付構造に用いられる第１の取付金具の正面図、図３（ｂ）は同第１の取付金具の側面図、図３（ｃ）は同第１の取付金具の平面図、図４（ａ）は同ソーラーパネルの取付構造に用いられる第２の取付金具の正面図、図４（ｂ）は同第２の取付金具の側面図、図４（ｃ）は同第２の取付金具の平面図、図５（ａ）は同ソーラーパネルの取付構造に用いられる第３の取付金具の正面図、図５（ｂ）は同第３取付金具の側面図、図５（ｃ）は同第３の取付金具の平面図である。
【００１８】
図１及び図２に示すように、ソーラーパネル１の取付構造は、既設のハゼ式の折板屋根２の頂部４に、後付けで太陽光発電モジュールや太陽熱温水器等のソーラーパネル１をハゼ仕様の第１〜第３の取付金具１０，２０，３０と支柱４０と取付架台５０及びボルト６０，６２，６４，６６，６８，７０等により固定して設置するものである。尚、ハゼ式の折板屋根２は折板３を葺いてなり、その頂部４は略平坦に形成してあるが、屋根全体としては、若干の勾配（例えば、前後の長手方向に１．５゜の勾配）を有している。
【００１９】
図１〜図３に示すように、第１の取付金具１０は、折板屋根２の頂部４に載置されてボルト６０とナット６１にて固定される矩形板状の載置片部１１と、この載置片部１１の一端側から垂直に折り曲げられた起立片部１２と、この起立片部１２の上端において載置片部１１に対して傾斜（例えば、傾斜角θ＝１０゜）して形成され、取付架台５０の一端５０ａ側を載置してボルト６２とナット６３にて固定する傾斜片部１３とで正面コ字形に一体形成されている。
【００２０】
図３（ａ），（ｂ），（ｃ）に示すように、第１の取付金具１０の載置片部１１の中央には、円形の取付孔１１ａを形成してある。この円形の取付孔１１ａを挿通するボルト６０のシャンク部は、折板屋根２の頂部４に形成された円形の取付孔（図示省略）に挿通して該頂部４の裏面側のナット６１に螺合することで、図１及び図２に示すように、第１の取付金具１０の載置片部１１を折板屋根２の頂部４に締結固定するようになっている。
【００２１】
また、第１の取付金具１０の傾斜片部１３の中央の両側には、一対の取付孔１３ａ，１３ａを円形に形成してある。この各取付孔１３ａを挿通するボルト６２のシャンク部は、後述する取付架台５０の一端５０ａ側に形成された一対の取付孔（図示省略）に挿通して該取付架台５０の内面側のナット６３に螺合することで、図１及び図２に示すように、傾斜片部１３の上面に取付架台５０の一端５０ａ側を締結固定するようになっている。
【００２２】
さらに、第１の取付金具１０の載置片部１１と起立片部１２の角部、及び、起立片部１２と傾斜片部１３の角部には、補強用の突出部１４，１５をダボ状にそれぞれ一体形成してある。これら各突出部１４，１５により、第１の取付金具１０の引っ張り・圧縮強度を補強して、全体の剛性及び耐久性を高めている。具体的には、このダボ状の突出部１４，１５により、第１の取付金具１０は、引っ張り荷重で２５０ｋｇまで、圧縮荷重で９５０ｋｇまで耐えられるようになっている。
【００２３】
図１，図２，図４に示すように、第２の取付金具２０は、折板屋根２の頂部４に載置されてボルト６４とナット６５にて固定される断面コ字状の載置片部２１と、この載置片部２１の一端側から垂直に起立する断面コ字状の起立片部２２とで側面Ｌ字状に一体形成されている。
【００２４】
図４（ａ），（ｂ），（ｃ）に示すように、第２の取付金具の載置片２１の中央には、円形の取付孔２１ａを形成してある。この円形の取付孔２１ａを挿通するボルト６４のシャンク部は、折板屋根２の頂部４に形成された円形の取付孔（図示省略）に挿通して該頂部４の裏面側のナット６５に螺合することで、図２に示すように、第２の取付金具２０の載置片部２１を折板屋根２の頂部４に締結固定するようになっている。
【００２５】
第２の取付金型２０の起立片部２２の中央には、円形の取付孔２２ａを形成してある。この円形の取付孔２２ａを挿通するボルト６６のシャンク部は、後述する支柱４０の正面の開口部４０ｃの下端部４０ｂの裏側に係止された板状のナット６７に螺合することで、図２に示すように、第２の取付金具２０の起立片部２２に支柱４０を締結固定するようにしてある。さらに、第２の取付金具２０の載置片部２１と起立片部２２との角部には、補強用の突出部２３をダボ状に一体形成してある。この突出部２３により、第２の取付金具２０の引っ張り・圧縮強度を補強して、全体の剛性及び耐久性を高めている。具体的には、このダボ状の突出部２３により、第２の取付金具２０は、引っ張り荷重で２５０ｋｇまで、圧縮荷重で９５０ｋｇまで耐えられるようになっている。
【００２６】
また、図４（ａ），（ｂ），（ｃ）に示すように、第２の取付金具２０の起立片部２２の両側部２２ｃ，２２ｃは、載置片部２１の両側部２１ｃ，２１ｃの内面側に当接されていると共に、加締めダボ加工により形成された補強用の加締め部２４によりそれぞれ固定されている。
【００２７】
図１，図２，図５に示すように、第３の取付金具３０は、後述する支柱４０の上端部４０ａにボルト６８と板状のナット６９にて固定される断面コ字状の取付片部３１と、第１の取付金具１０の傾斜片部１３と同じ角度（傾斜角θ＝１０゜）傾斜して形成され、取付架台５０の他端５０ｂ側を載置してボルト７０とナット７１にて固定する断面コ字状の傾斜片部３２とで側面へ字状に一体形成されている。
【００２８】
図５（ａ），（ｂ），（ｃ）に示すように、第３の取付金具３０の取付片部３１の中央には、円形の取付孔３１ａを形成してある。この円形の取付孔３１ａを挿通するボルト６８のシャンク部は、後述する支柱４０の正面の開口部４０ｃの上端部４０ａの裏側に係止された板状のナット６９に螺合することで、図２に示すように、第３の取付金具３０の取付片部３１を支柱４０に締結固定するようになっている。
【００２９】
また、第３の取付金型３０の傾斜片部３２の中央には、円形の取付孔３２ａを形成してある。この円形の取付孔３２ａを挿通するボルト７０のシャンク部は、後述する取付架台５０の他端５０ｂ側に形成された取付孔（図示省略）に挿通して該取付架台５０の内面側のナット７１に螺合することで、図２に示すように、傾斜片部３２の上面に取付架台５０の他端５０ｂ側を締結固定するようになっている。
【００３０】
さらに、第３の取付金具３０の取付片部３１と傾斜片部３２との角部には、補強用の突出部３３をダボ状に一体形成してある。この突出部３３により、第３の取付金具３０の引っ張り・圧縮強度を補強して、全体の剛性及び耐久性を高めている。具体的には、このダボ状の突出部３３により、第３の取付金具３０は、引っ張り荷重で２５０ｋｇまで、圧縮荷重で９５０ｋｇまで耐えられるようになっている。
【００３１】
さらに、図５（ａ），（ｂ），（ｃ）に示すように、第３の取付金具３０の傾斜片部３２の両側部３２ｃ，３２ｃは、取付片部３１の両側部３１ｃ，３１ｃの外面側に当接されていると共に、加締めダボ加工により形成された補強用の加締め部３４によりそれぞれ固定されている。
【００３２】
図１，図２に示すように、支柱４０は、正面の両端側が内側にそれぞれ折り曲げられて開口した断面コ字筒状の鋼製であり、その下端部４０ｂが第２の取付金具２０の載置片部２１に載置されて、該第２の取付金具２０の起立片部２２にボルト６６と板状のナット６７にて締結固定されると共に、その上端部４０ａに第３の取付金具３０の取付片部３１がボルト６８と板状のナット６９にて締結固定されるようになっている。
【００３３】
図１，図２に示すように、取付架台５０は、上面の両端側が内側にそれぞれ折り曲げられて開口した断面コ字筒状の鋼製であり、その上面側に載置されてソーラーパネル１の前後端５０ａ，５０ｂが締結部材としての取付板７とボルト８と板状のナット９を介して取付架台５０の両端５０ａ，５０ｂにそれぞれ締結固定されるようになっている。この取付架台５０は、一枚のソーラーパネル１の下面１ａを支持するように一対配設されている。
【００３４】
次に、以上実施形態のソーラーパネル１の取付構造による施工手順について簡単に説明する。
【００３５】
ソーラーパネル１を既設のハゼ式の折板屋根２に設置する場合には、まず、折板屋根２の頂部４の所定位置に、第１の取付金具１０の載置片部１１を載置してボルト６０とナット６１にて締結固定する。次に、図２に示すように、折板屋根２の頂部４の長手方向に所定距離（例えば、Ｎ＝９０ｃｍ）隔てた位置に、第２の取付金具２０の載置片部２１を載置してボルト６４とナット６５にて締結固定する。
【００３６】
次に、第２の取付金具２０の載置片部２１に支柱４０を載置すると共に、該第２の取付金具２０の起立片部２２に支柱４０の下端部４０ｂをボルト６６と板状のナット６７にて締結固定する。また、支柱４０の上端部４０ａに第３の取付金具３０の取付片部３１をボルト６８と板状のナット６９にて締結固定する。
【００３７】
次に、第１の取付金具１０の傾斜片部１３の上面に、取付架台５０の一端５０ａ側を載置してボルト６２とナット６３にて締結固定すると共に、第３の取付金具３０の傾斜片部３２の上面に、取付架台５０の他端５０ｂ側を載置してボルト７０と板状のナット７１にて締結固定する。これらの組付セットを、図１に示すように、折板屋根２の幅方向に所定距離（例えば、Ｌ＝１００ｃｍ）離れた頂部４に組み付ける。
【００３８】
次に、折板屋根２の各頂部４，４間に一対配設された各取付架台５０の前後に、各取付架台５０の上面側の開口部５０ｃを利用して、締結部材としての取付板７とボルト８と板状のナット９にてソーラーパネル１を締結固定する。
【００３９】
このようにして、折板屋根２の各頂部４，４間に、第１〜第３の取付金具１０，２０，３０と支柱４０と取付架台５０等を介してソーラーパネル１が所定角度傾斜した状態（この場合には、前後に１０゜傾斜した状態）で設置される。同様の取付方法により、折板屋根２の頂部４の左右方向、或いは、前後方向において、所定間隔毎にソーラーパネル１を順次設置する。
【００４０】
このように、折板屋根２の頂部４に載置されてボルト６０とナット６１にて固定される載置片部１１と、この載置片部１１の一端側から垂直に折り曲げられた起立片部１２と、この起立片部１２の上端において載置片部１１に対して１０゜傾斜して形成され、取付架台５０の一端５０ａ側を載置してボルト６２とナット６３にて締結固定する傾斜片部１３とで正面コ字形に一体形成された第１の取付金具１０と、折板屋根２の頂部４に載置されてボルト６４とナット６５にて締結固定される断面コ字状の載置片部２１と、この載置片部２１の一端側から垂直に起立する断面コ字状の起立片部２２とで一体形成された第２の取付金具２０と、この第２の取付金具２０の載置片部２１に載置されてボルト６６と板状のナット６７にて締結固定される支柱４０と、この支柱４０の上端部４０ａにボルト６８と板状のナット６９にて締結固定される断面コ字状の取付片部３１と、第１の取付金具１０の傾斜片部１３と同じ角度の１０゜傾斜して形成され、取付架台５０の他端５０ｂ側を載置してボルト７０と板状のナット７１にて締結固定する断面コ字状の傾斜片部３２とで一体形成された第３の取付金具３０と、ソーラーパネル１を締結部材としての取付板７とボルト８と板状のナット９にて締結固定すると共に、第１の取付金具１０の傾斜片部１３と第３の取付金具３０の傾斜片部３２に両端５０ａ，５０ｂ側が各ボルト６２，７０と各ナット６３，７１にて締結固定される取付架台５０と、を備え、取付架台５０を、ソーラーパネル１の下面１ａを支持するように一対配設したことにより、既設の平坦な折板屋根２の頂部４の上から簡単な構造で高剛性の第１〜３の取付金具１０，２０，３０と支柱４０を介して１０゜傾斜した一対の取付架台５０，５０を簡単かつ強固に取り付けることができる。これにより、既設の平坦な折板屋根２の各頂部４，４間に、短時間でかつ効率良くソーラーパネル１を１０゜傾斜させて設置することができる。
【００４１】
また、第１の取付金具１０の載置片部１１と起立片部１２及び起立片部１２と傾斜片部１３の角部と、第２の取付金具２０の載置片部２１と起立片部２２との角部、及び、第３の取付金具３０の取付片部３１と傾斜片部３２との角部に、補強用の突出部１４，１５，２３，３３をそれぞれ一体形成したことにより、この補強用の突出部１４，１５，２３，３３により各取付金具１０，２０，３０の引っ張り強度と圧縮強度をより一段と増すことができ、ソーラーパネル１を安定した一定の傾斜状態で経時的に維持することができる。
【００４２】
さらに、第２の取付金具２０の載置片部２１の両側部２１ｃ，２１ｃと起立片部２２の両側部２２ｃ，２２ｃ、及び、第３の取付金具３０の取付片部３１の両側部３１ｃ，３１ｃと傾斜片部３２の両側部３２ｃ，３２ｃを補強用の加締め部２４，３４でそれぞれ加締め固定したことにより、第２の取付金具２０の起立片部２２の垂直起立状態、及び、第３の取付金具３０の傾斜片部３２の所定角度の傾斜状態を安定した状態に経時的に維持することができると共に、各取付金具２０，３０を起立片部２２と傾斜片部３２の真下に位置させて各取付金具２０，３０にかかる荷重を常に真下で受け止めることができる。
【００４３】
図６は本発明の第２実施形態のソーラーパネルの取付構造を示す正面図、図７は同ソーラーパネルの取付構造の側面図、図８（ａ）は同ソーラーパネルの取付構造に用いられる第１の取付金具の正面図、図８（ｂ）は同取付金具の側面図、図８（ｃ）は同取付金具の平面図、図９（ａ）は同ソーラーパネルの取付構造に用いられる第３の取付金具の正面図、図９（ｂ）は同取付金具の側面図、図９（ｃ）は同取付金具の平面図である。
【００４４】
この第２実施形態では、２０゜傾斜した傾斜片部１３を有した第１の取付金具１０Ａと、２０゜傾斜した傾斜片部３２を有した第３の取付金具３０Ａと、支柱４０よりも長尺の支柱４５と、取付架台５０、及びボルト６０，６２，６４，６６，６８，７０等を介して、既設のハゼ式の平坦な折板屋根２の一対の頂部４，４間にソーラーパネル１を２０゜傾斜させて設置するハゼ仕様の取付構造であり、他の構成は、前記第１実施形態の取付構造と同様であるため、同一符号を付して詳細な説明を省略する。
【００４５】
このように、前記第２実施形態のソーラーパネル１の取付構造では、図６及び図７に示すように、既設の平坦な折板屋根２の頂部４に載置されてボルト６０とナット６１にて固定される載置片部１１と、この載置片部１１に対して２０゜傾斜して取付架台５０の一端５０ａ側を載置してボルト６２とナット６３にて締結固定する傾斜片部１３を有した第１の取付金具１０Ａと、折板屋根２の頂部４に載置されてボルト６４とナット６５にて締結固定される載置片部２１と、この載置片部２１に対して垂直に起立する起立片部２２を有した第２の取付金具２０と、この第２の取付金具２０の載置片部２１に載置されてボルト６６と板状のナット６７にて締結固定される支柱４５と、この支柱４５の上端部４０ａにボルト６８と板状のナット６９にて締結固定される取付片部３１と、第１の取付金具１０の傾斜片部１３と同じ角度の２０゜傾斜して取付架台５０の他端５０ｂ側を載置してボルト７０と板状のナット７１にて締結固定する傾斜片部３２を有した第３の取付金具３０Ａと、ソーラーパネル１を締結部材としての取付板７とボルト８と板状のナット９にて締結固定すると共に、第１の取付金具１０Ａの傾斜片部１３と第３の取付金具３０Ａの傾斜片部３２に両端５０ａ，５０ｂ側が各ボルト６２，７０と各ナット６３，７１にて締結固定される取付架台５０と、を備え、取付架台５０を、ソーラーパネル１の下面１ａを支持するように一対配設したことにより、既設の平坦な折板屋根２の頂部４の上から第１〜３の取付金具１０Ａ，２０，３０Ａと支柱４５を介して２０゜傾斜した一対の取付架台５０，５０を簡単かつ確実に取り付けることができる。これにより、既設の平坦な折板屋根２の一対の頂部４，４間に、短時間でかつ効率良くソーラーパネル１を２０゜傾斜させて設置することができる。
【００４６】
また、第１の取付金具１０Ａの載置片部１１と起立片部１２及び起立片部１２と傾斜片部１３の角部と、第２の取付金具２０の載置片部２１と起立片部２２との角部、及び、第３の取付金具３０Ａの取付片部３１と傾斜片部３２との角部に、補強用の突出部１４，１５，２３，３３をそれぞれ一体形成したことにより、この補強用の突出部１４，１５，２３，３３により各取付金具１０Ａ，２０，３０Ａの引っ張り強度と圧縮強度をより一段と増すことができ、ソーラーパネル１を安定した一定の傾斜状態で経時的に維持することができる。
【００４７】
また、第２の取付金具２０の載置片部２１の両側部２１ｃ，２１ｃと起立片部２２の両側部２２ｃ，２２ｃ、及び、第３の取付金具３０Ａの取付片部３１の両側部３１ｃ，３１ｃと傾斜片部３２の両側部３２ｃ，３２ｃを補強用の加締め部２４，３４でそれぞれ加締め固定したことにより、第２の取付金具２０の起立片部２２の垂直起立状態、及び、第３の取付金具３０Ａの傾斜片部３２の所定角度の傾斜状態を安定した状態に経時的に維持することができると共に、各取付金具２０，３０Ａを起立片部２２と傾斜片部３２の真下に位置させて各取付金具２０，３０Ａにかかる荷重を常に真下で受け止めることができる。
【００４８】
さらに、第１の取付金具１０Ａの傾斜片部１３及び第３の取付金具３０Ａの傾斜片部３２と傾斜角度が異なる前記第１実施形態の第１の取付金具１０と第３の取付金具３０を用意すると共に、支柱４５と高さが異なる前記第１実施形態の支柱４０を用意すれば、ソーラーパネル１の傾斜角度を２０゜と１０゜のいずれか所望する角度に可変させて設置させることができる。
【００４９】
図１０は本発明の第３実施形態のソーラーパネルの取付構造を示す正面図、図１１は同ソーラーパネルの取付構造の側面図、図１２（ａ）は同ソーラーパネルの取付構造に用いられる第１の取付金具の正面図、図１２（ｂ）は同取付金具の側面図、図１２（ｃ）は同取付金具の平面図、図１３（ａ）は同ソーラーパネルの取付構造に用いられる第２の取付金具の正面図、図１３（ｂ）は同取付金具の側面図、図１３（ｃ）は同取付金具の平面図である。
【００５０】
この第３実施形態では、１０゜傾斜した傾斜片部１３を有した第１の取付金具１０Ｂと、載置片部２１を有した第２の取付金具２０Ｂと、１０゜傾斜した傾斜片部３２を有した第３の取付金具３０と、短尺の支柱４０と、取付架台５０、及びボルト６０，６２，６４，６６，６８，７０等を介して、既設の重ね式（チャンネル式ともいう）の平坦な折板屋根２′の一対の頂部４，４間にソーラーパネル１を１０゜傾斜させて設置するチャンネル仕様の取付構造である。この折板屋根２′の頂部４の長手方向には凹状の溝部５を形成してある。
【００５１】
また、図１２及び図１３に示すように、第１の取付金具１０Ｂの載置片部１１の前後及び第２の取付金具２０Ｂの載置片部２０Ｂの中央には、折板屋根２′の頂部４に形成された溝部５に嵌め込まれて第１の取付金具１０Ｂ及び第２の取付金具２０Ｂを位置決めする突出部１１ｂ，２１ｂをそれぞれ下側に突出するように一体形成してある。他の構成は、前記第１実施形態の取付構造と同様であるため、同一符号を付して詳細な説明を省略する。
【００５２】
このように、前記第３実施形態のソーラーパネル１の取付構造では、図１０及び図１１に示すように、既設の平坦な折板屋根２′の頂部４に載置されてボルト６０とナット６１にて固定される載置片部１１と、この載置片部１１に対して１０゜傾斜して取付架台５０の一端５０ａ側を載置してボルト６２とナット６３にて締結固定する傾斜片部１３を有した第１の取付金具１０Ｂと、折板屋根２′の頂部４に載置されてボルト６４とナット６５にて締結固定される載置片部２１と、この載置片部２１に対して垂直に起立する起立片部２２を有した第２の取付金具２０Ｂと、この第２の取付金具２０Ｂの載置片部２１に載置されてボルト６６と板状のナット６７にて締結固定される支柱４０と、この支柱４０の上端部４０ａにボルト６８と板状のナット６９にて締結固定される取付片部３１と、第１の取付金具１０Ｂの傾斜片部１３と同じ角度の２０゜傾斜して取付架台５０の他端５０ｂ側を載置してボルト７０と板状のナット７１にて締結固定する傾斜片部３２を有した第３の取付金具３０と、ソーラーパネル１を締結部材としての取付板７とボルト８と板状のナット９にて締結固定すると共に、第１の取付金具１０Ｂの傾斜片部１３と第３の取付金具３０の傾斜片部３２に両端５０ａ，５０ｂ側が各ボルト６２，７０と各ナット６３，７１にて締結固定される取付架台５０と、を備え、取付架台５０を、ソーラーパネル１の下面１ａを支持するように一対配設したことにより、既設の平坦な折板屋根２′の頂部４の上から第１〜３の取付金具１０Ｂ，２０Ｂ，３０と支柱４０を介して１０゜傾斜した一対の取付架台５０，５０を簡単かつ確実に取り付けることができる。これにより、既設の平坦な折板屋根２′の一対の頂部４，４間に、短時間でかつ効率良くソーラーパネル１を１０゜傾斜させて設置することができる。
【００５３】
また、第１の取付金具１０Ｂの載置片部１１と起立片部１２及び起立片部１２と傾斜片部１３の角部と、第２の取付金具２０Ｂの載置片部２１と起立片部２２との角部、及び、第３の取付金具３０の取付片部３１と傾斜片部３２との角部に、補強用の突出部１４，１５，２３，３３をそれぞれ一体形成したことにより、この補強用の突出部１４，１５，２３，３３により各取付金具１０Ｂ，２０Ｂ，３０の引っ張り強度と圧縮強度をより一段と増すことができ、ソーラーパネル１を安定した一定の傾斜状態で経時的に維持することができる。
【００５４】
また、第２の取付金具２０Ｂの載置片部２１の両側部２１ｃ，２１ｃと起立片部２２の両側部２２ｃ，２２ｃ、及び、第３の取付金具３０の取付片部３１の両側部３１ｃ，３１ｃと傾斜片部３２の両側部３２ｃ，３２ｃを補強用の加締め部２４，３４でそれぞれ加締め固定したことにより、第２の取付金具２０Ｂの起立片部２２の垂直起立状態、及び、第３の取付金具３０の傾斜片部３２の所定角度の傾斜状態を安定した状態に経時的に維持することができると共に、各取付金具２０Ｂ，３０を起立片部２２と傾斜片部３２の真下に位置させて各取付金具２０Ｂ，３０にかかる荷重を常に真下で受け止めることができる。
【００５５】
さらに、第１の取付金具１０Ｂの載置片部１１及び第２の取付金具２０Ｂの載置片部２１に、折板屋根２′の頂部４に形成された溝部５に嵌め込まれて第１の取付金具１０Ｂ及び第２の取付金具２０Ｂを位置決めする突出部１１ｂ，２１ｂをそれぞれ下側に一体突出形成したことにより、重ね式の折板屋根２′の頂部４に第１の取付金具１０Ｂと第２の取付金具２０Ｂを位置ずれすることなく簡単かつ確実に取り付けることができる。
【００５６】
図１４は本発明の第４実施形態のソーラーパネルの取付構造を示す正面図、図１５は同ソーラーパネルの取付構造の側面図、図１６（ａ）は同ソーラーパネルの取付構造に用いられる第１の取付金具の正面図、図１６（ｂ）は同取付金具の側面図、図１６（ｃ）は同取付金具の平面図である。
【００５７】
この第４実施形態では、２０゜傾斜した傾斜片部１３を有した第１の取付金具１０Ｃと、載置片部２１を有した第２の取付金具２０Ｂと、２０゜傾斜した傾斜片部３２を有した第３の取付金具３０Ａと、長尺の支柱４５と、取付架台５０、及び、ボルト６０，６２，６４，６６，６８，７０等を介して、既設の重ね式（チャンネル式ともいう）の平坦な折板屋根２′の一対の頂部４，４間にソーラーパネル１を２０゜傾斜させて設置するチャンネル仕様の取付構造である。この折板屋根２′の頂部４の長手方向には凹状の溝部５を形成してある。
【００５８】
また、図１６に示すように、第１の取付金具１０Ｃの載置片部１１の前後及び第２の取付金具２０Ｂの載置片部２０Ｂの中央には、折板屋根２′の頂部４に形成された溝部５に嵌め込まれて第１の取付金具１０Ｃ及び第２の取付金具２０Ｂを位置決めする突出部１１ｂ，２１ｂをそれぞれ下側に突出するように一体形成してある。他の構成は、前記第２，３実施形態の取付構造と同様であるため、同一符号を付して詳細な説明を省略する。
【００５９】
このように、前記第４実施形態のソーラーパネル１の取付構造では、図１４及び図１５に示すように、既設の平坦な折板屋根２′の頂部４に載置されてボルト６０とナット６１にて固定される載置片部１１と、この載置片部１１に対して２０゜傾斜して取付架台５０の一端５０ａ側を載置してボルト６２とナット６３にて締結固定する傾斜片部１３を有した第１の取付金具１０Ｃと、折板屋根２′の頂部４に載置されてボルト６４とナット６５にて締結固定される載置片部２１と、この載置片部２１に対して垂直に起立する起立片部２２を有した第２の取付金具２０Ｂと、この第２の取付金具２０Ｂの載置片部２１に載置されてボルト６６と板状のナット６７にて締結固定される支柱４５と、この支柱４５の上端部４０ａにボルト６８と板状のナット６９にて締結固定される取付片部３１と、第１の取付金具１０Ｃの傾斜片部１３と同じ角度の２０゜傾斜して取付架台５０の他端５０ｂ側を載置してボルト７０と板状のナット７１にて締結固定する傾斜片部３２を有した第３の取付金具３０Ａと、ソーラーパネル１を締結部材としての取付板７とボルト８と板状のナット９にて締結固定すると共に、第１の取付金具１０Ｃの傾斜片部１３と第３の取付金具３０Ａの傾斜片部３２に両端５０ａ，５０ｂ側が各ボルト６２，７０と各ナット６３，７１にて締結固定される取付架台５０と、を備え、取付架台５０を、ソーラーパネル１の下面１ａを支持するように一対配設したことにより、既設の平坦な折板屋根２′の頂部４の上から第１〜３の取付金具１０Ｃ，２０Ｂ，３０Ａと支柱４５を介して２０゜傾斜した一対の取付架台５０，５０を簡単かつ確実に取り付けることができる。これにより、既設の平坦な折板屋根２′の一対の頂部４，４間に、短時間でかつ効率良くソーラーパネル１を２０゜傾斜させて設置することができる。
【００６０】
また、第１の取付金具１０Ｃの載置片部１１と起立片部１２及び起立片部１２と傾斜片部１３の角部と、第２の取付金具２０Ｂの載置片部２１と起立片部２２との角部、及び、第３の取付金具３０Ａの取付片部３１と傾斜片部３２との角部に、補強用の突出部１４，１５，２３，３３をそれぞれ一体形成したことにより、この補強用の突出部１４，１５，２３，３３により各取付金具１０Ｃ，２０Ｂ，３０Ａの引っ張り強度と圧縮強度をより一段と増すことができ、ソーラーパネル１を安定した一定の傾斜状態で経時的に維持することができる。
【００６１】
さらに、第１の取付金具１０Ｃの載置片部１１及び第２の取付金具２０Ｂの載置片部２１に、折板屋根２′の頂部４に形成された溝部５に嵌め込まれて第１の取付金具１０Ｃ及び第２の取付金具２０Ｂを位置決めする突出部１１ｂ，２１ｂをそれぞれ下側に一体突出形成したことにより、重ね式の折板屋根２′の頂部４に第１の取付金具１０Ｃと第２の取付金具２０Ｂを位置ずれすることなく簡単かつ確実に取り付けることができる。
【００６２】
図１７は本発明の第５実施形態のソーラーパネルの取付構造を示す正面図である。
【００６３】
この第５実施形態は、既設のハゼ式の折板屋根２の頂部４に形成された丸形ハゼ部６に取付金具（取付部材）８０を取り付け、この取付金具８０のボルト８１に、前記第１実施形態のハゼ仕様の第１，第２の取付金具１０，２０を取り付け、前記第１実施形態と同様に、第３の取付金具３０と支柱４０と取付架台５０及びボルト６０，６２，６４，６６，６８，７０等によりーラーパネル１を１０゜傾斜させて設置するものである。尚、取付金具８０は、本出願人が特願２０１２−２６８５１５にて出願したものである。
【００６４】
このように、既設の平坦な折板屋根２の頂部４に取り付けられた取付金具８０の上から第１〜３の取付金具１０，２０，３０と支柱４０等を介して１０゜傾斜した一対の取付架台５０，５０を簡単かつ確実に取り付けることができる。これにより、既設の平坦なハゼ式の折板屋根２の一対の頂部４，４間に、短時間でかつ効率良くソーラーパネル１を１０゜傾斜させて設置することができる。さらに、ソーラーパネル１を２０゜傾斜させて設置する場合には、前記第２実施形態のハゼ仕様のものを使用すれば、同様の効果が得られる。
【００６５】
図１８は本発明の第６実施形態のソーラーパネルの取付構造を示す側面図である。
【００６６】
この第６実施形態は、既設の重ね式の折板屋根２′の頂部４から外側に突出したタイトフレーム（図示省略）のボルト６′に取付金具（取付部材）９０と架台（取付部材）９１を取り付け、この架台９１の上面の両端側が内側にそれぞれ折り曲げられて開口した開口部９１ａに、前記第３実施形態のチャンネル仕様の第１，第２の取付金具１０Ｂ，２０Ｂを取り付け、第３の取付金具３０と支柱４０と取付架台５０及びボルト６０，６２，６４，６６，６８，７０等によりーラーパネル１を１０゜傾斜させて設置するものである。尚、取付金具９０と架台９１は、本出願人が特願２０１３−００５８７１にて出願したものである。
【００６７】
このように、既設の平坦な折板屋根２′の頂部４に取り付けられた架台９１の上から第１〜３の取付金具１０Ｂ，２０Ｂ，３０と支柱４０等を介して１０゜傾斜した一対の取付架台５０，５０を簡単かつ確実に取り付けることができる。これにより、既設の平坦な重ね式の折板屋根２′の一対の頂部４，４間に、短時間でかつ効率良くソーラーパネル１を１０゜傾斜させて設置することができる。さらに、ソーラーパネル１を２０゜傾斜させて設置する場合には、前記第４実施形態のチャンネル仕様のものを使用すれば、同様の効果が得られる。
【００６８】
尚、前記各実施形態によれば、ソーラーパネルの下面に一対の取付架台を配設して支持するようにしたが、ソーラーパネルが幅方向に長尺の場合には、一対以上の取付架台を配設してソーラーパネルの下面を支持するようにしても良い。また、第１の取付金具の傾斜片部と第３の取付金具の傾斜片部の傾斜角度を１０゜と２０゜に設定したが、これらの角度に限られるものではなく、複数の任意の角度に傾斜した取付金具を複数用意しておき、また、高さの異なる支柱も複数用意すれば、ソーラーパネルを所望する任意の角度に傾斜させて簡単かつ確実に設置することができる。
【符号の説明】
【００６９】
１  ソーラーパネル
１ａ  下面
２，２′  折板屋根
３  折板
４  頂部
５  溝部
７  取付板（締結部材）
８  ボルト（締結部材）
９  ナット（締結部材）
１０，１０Ａ，１０Ｂ，１０Ｃ  第１の取付金具
１１  載置片部
１１ｂ  突出部
１２  起立片部
１３  傾斜片部
１４，１５  補強用の突出部
２０，２０Ｂ  第２の取付金具
２１  載置片部
２１ｂ  突出部
２２  起立片部
２３  補強用の突出部
２４  補強用の加締め部
３０，３０Ａ  第３の取付金具
３１  取付片部
３２  傾斜片部
３３  補強用の突出部
３４  補強用の加締め部
４０，４５  支柱
４０ａ，４５ａ  上端部
５０  取付架台
５０ａ  一端
５０ｂ  他端
６０，６２，６４，６６，６８，７０  ボルト
６１，６３，６５，６７，６９，７１  ナット
【図１】
0005923535.tif 000002
【図２】
0005923535.tif 000003
【図３】
0005923535.tif 000004
【図４】
0005923535.tif 000005
【図５】
0005923535.tif 000006
【図６】
0005923535.tif 000007
【図７】
0005923535.tif 000008
【図８】
0005923535.tif 000009
【図９】
0005923535.tif 000010
【図１０】
0005923535.tif 000011
【図１１】
0005923535.tif 000012
【図１２】
0005923535.tif 000013
【図１３】
0005923535.tif 000014
【図１４】
0005923535.tif 000015
【図１５】
0005923535.tif 000016
【図１６】
0005923535.tif 000017
【図１７】
0005923535.tif 000018
【図１８】
0005923535.tif 000019